(57)【要約】      （修正有）【課題】不使用時にベッドフレームの外部に露出しないで破損や邪魔になるなどの不便さを解消し、使用時にはベッドフレームの外部に突き出して防虫網を容易に設置することによってベッドで生活する使用者に害虫からの接近を遮断するベッドフレーム用防虫網設置台を提供する。【解決手段】ベッドマットレスが取り付けられる上板フレーム１０と、上板フレーム１０の下部に垂直に設置される支持柱２０と、支持柱２０が設置された位置の上板フレーム１０に垂直に貫通して形成された設置孔３０と、設置孔３０に垂直に設置され一つの軸状で互いに異なる直径の複数のパイプ４１が多段連結されて長さを調節する伸縮式調節棒４０と、伸縮式調節棒４０の上端に防虫網が設置された締結鉤５０とを含む。伸縮式調節棒４０は、防虫網の使用時は長さを伸ばして上板フレーム１０の上部に突き出され、防虫網の不使用時は伸縮式調節棒４０の長さを短くして設置孔３０の内側に入れて埋め込まれる。【選択図】図１
0003210778.tif 000002
【実用新案登録請求の範囲】
【請求項１】
ベッドマットレスが取り付けられる上板フレーム（１０）と、
前記上板フレーム（１０）の下部に、垂直に設置される支持柱（２０）と、
前記支持柱（２０）の設置された位置の直上に、上板フレーム（１０）を貫通して形成される設置孔（３０）と、
前記設置孔（３０）に沿って設置され、一つの軸状で互いに異なる直径の複数のパイプ（４１）が、多段連結されて、長さを調節できる伸縮式調節棒（４０）と、
前記伸縮式調節棒（４０）の上端に、防虫網が設置できるようにした締結鉤（５０）とを含み、
前記伸縮式調節棒（４０）は、防虫網の使用時には、長さを伸ばして上板フレーム（１０）の上部に突き出されることができるようにし、防虫網の不使用時には、伸縮式調節棒（４０）の長さを縮めて設置孔（３０）の内側に入れ込んで収納することができるようにした構造になっていることを特徴とするベッドフレーム用防虫網設置台。
【請求項２】
前記伸縮式調節棒（４０）を、電動式にして、モーターの動力で長さを伸縮調節できることを特徴とする請求項１に記載のベッドフレーム用防虫網設置台。
【請求項３】
前記伸縮式調節棒（４０）の上部に、連結支持台（６０）が設置されて、それぞれの伸縮式調節棒（４０）どうしが、互いに連結されることを特徴とする請求項１に記載のベッドフレーム用防虫網設置台。
【請求項４】
前記連結支持台（６０）が設置される形態において、上板フレーム（１０）に、保管溝（７０）が一定の深さに形成されて、防虫網の不使用時、連結支持台（６０）が、伸縮式調節棒（４０）に結合されたままの状態で、保管溝（７０）の内部に収納されることを特徴とする請求項３に記載のベッドフレーム用防虫網設置台。
【考案の詳細な説明】
【技術分野】
【０００１】
本考案は、ベッドフレーム用防虫網設置台に関するもので、使用しない時には、ベッドフレームの外部に露出しないようにして、破損する可能性や邪魔になるなどの不便さを解消し、使用する時には、ベッドフレームの外部に突き出させ、防虫網を容易に設置できるようにすることで、ベッドで生活する使用者への害虫の接近を遮断するようにしたベッドフレーム用防虫網設置台に関する。
【背景技術】
【０００２】
一般的に、害虫は、蚊のように、デング熱、マラリア、ジカウイルスなどの疾病を感染させるもので、特に、家庭用住宅には、このような害虫の侵入を防ぐために、窓や門戸に害虫の大きさより小さな網型の防虫網を設置している。
【０００３】
しかし、このような門戸や窓に設置される防虫網は、門戸や窓を開閉する過程で、害虫が室内に侵入する問題点があり、その他、室内用テント型防虫網が使われているが、このようなテント型防虫網は、設置空間をたくさん占めて、ベッドの設置が難しく、睡眠時、効果的な害虫の遮断がしにくいという問題点がある。
【０００４】
関連する先行技術として、特許文献１には、ベッドカバーの内部に、横バーと縦バーを結合してベッド上面を構成し、下部には複数の脚部が設置された慣用の折りたたみベッドにおいて、前記縦バーの両方の端部には、結合孔を形成し、前記結合孔には、垂直に支持棒を設置し、この支持棒の最上部に、防虫網を設置する構成が開示されている。
【０００５】
しかし、前記先行技術は、野外で使う簡易ベッド形態に適用されるもので、一般の家庭で使われるベッドフレームに適用するとしても、防虫網が設置されるようにした支持棒が、ベッドの構成と別途に備えられなければならないので、設置の煩わしさと保管上の問題点がある。
【０００６】
また、他の先行技術として、特許文献２には、共同住宅における室内の天井照明付近など、天井に位置し、防虫網を収納している防虫網収納箱と、前記防虫網収納箱の中に収納され、前記防虫網収納箱の下部に形成された天井開口部の蓋が開かれた状態で、前記防虫網収納箱の下部に形成された天井開口部を経由して、室内に下ろされて広がれることにより使われる防虫網と、前記防虫網を固定したり、前記防虫網を使用しない季節には、他の部材を固定することができ、壁面に設置される複数の三角柱固定棒と、前記防虫網と前記三角柱固定棒を連結させる防虫網固定線が開示されている。
【０００７】
しかし、前記先行技術は、防虫網を収納するために、住宅の天井部分を貫通して設置空間を確保しなければならない施工問題があり、固定線によって防虫網が建物内部の壁面に固定されるので、固定線に阻まれて、室内活動に差し支えを与える問題点があり、一度設置した後は、防虫網の移動が難しい構造的短所がある。
【先行技術文献】
【特許文献】
【０００８】
【特許文献１】韓国特許第６１６７４５号公報
【特許文献２】韓国特許第５４４８９５号公報
【考案の概要】
【考案が解決しようとする課題】
【０００９】
本考案は、前記のような問題点を解決するために、室内で、主に睡眠を取るベッドのフレームに、防虫網を直接設置するが、設置台を別途に備えて組立てる煩わしさを解消するため、ベッドフレーム自体に設置台が用意されて、防虫網設置が容易にできるようにして、室内に害虫がいても、ベッドで睡眠を取る人に害虫が接近するのを防ぐことができるようにしたベッドフレーム用防虫網設置台を提供することを目的とする。
【課題を解決するための手段】
【００１０】
本考案は、ベッドマットレスが取り付けられる上板フレームと、前記上板フレームの下部に、垂直に設置される支持柱と、前記支持柱の設置された位置の直上に、上板フレームを貫通させて形成される設置孔と、前記設置孔に沿って設置され、一つの軸状で互いに異なる直径の複数のパイプが、多段連結されて、長さを調節する伸縮式調節棒と、前記伸縮式調節棒の上端に、防虫網が設置できるようにした締結鉤とを含み、前記伸縮式調節棒は、防虫網の使用時、長さを伸ばして上板フレームの上部に突き出されることができるようにし、防虫網の不使用時、伸縮式調節棒の長さを縮めて設置孔の内側に入れ込み、収納することができるようにした構造になっていることを特徴とする。
【００１１】
前記伸縮式調節棒は、電動式にして、モーターの動力で長さが伸縮調節されるようにすることも可能である。
【００１２】
また、前記伸縮式調節棒の上部に、連結支持台が設置されて、それぞれの伸縮式調節棒同士が、互いに連結されるようにできることを特徴とする。
【００１３】
また、前記連結支持台が設置される形態において、上板フレームに、保管溝が一定の深さに形成されて、防虫網の不使用時、連結支持台が伸縮式調節棒に結合されたままの状態で、保管溝内部に収納できることを特徴とする。
【考案の効果】
【００１４】
本考案は、ベッドに直接防虫網を設置することができ、窓や玄関から害虫が入って来ても、睡眠中の害虫の接近を遮断することができる。
【００１５】
また、本考案は、防虫網を設置するための別途の設置台が不要で、ベッドフレーム自体に設置された伸縮式調節棒の長さが多段で調節でき、組み立ての煩わしさがなく設置が容易である。
【００１６】
また、本考案は、防虫網を使用しない時、伸縮式調節棒をベッドフレームの内側に収納し、保管することが可能で、伸縮式調節棒の解体及び保管が容易で邪魔にならないので、生活中に破損するなどの問題点が生じない。
【図面の簡単な説明】
【００１７】
【図１】本考案のベッドフレーム用防虫網設置台を示す斜視図である。
【図２】本考案の伸縮式調節棒及び締結鉤が設置孔内に挿入された状態を示す斜視図である。
【図３】本考案の防虫網の設置前の状態を示す断面図である。
【図４】本考案の防虫網の設置後の状態を示す断面図である。
【図５】本考案の連結支持台が設置される形態の斜視図である。
【図６】本考案の連結支持台が設置される形態の断面図である。
【考案を実施するための形態】
【００１８】
以下、本考案の好ましい実施例を添付された図面を参照して、詳しく説明する。なお、本考案に関わる公知の機能、構成についての具体的な説明は、本考案の要旨を理解するのに差し支えないと判断される場合、省略する。
【００１９】
本考案は、室内で使われる家具であるベッドに、防虫網を設置するための設置台に関するもので、ベッドフレームの自体に設置台が用意されているため、別途の設置台をベッドに結合及び組立てるなどの煩わしさがなく、防虫網の設置が容易で、室内に害虫がいる場合でも、ベッドで睡眠を取る人に害虫が近付くことを防ぐことができる。
【００２０】
本考案のベッドフレーム用防虫網設置台は、図１、図２に示すように、ベッドマットレスが取り付けられる上板フレーム１０と、前記上板フレーム１０の下部に、垂直に設置される支持柱２０と、前記支持柱２０の設置された位置の直上に、上板フレーム１０を貫通して形成される設置孔３０と、前記設置孔３０に沿って設置され、一つの軸状で互いに異なる直径の複数のパイプ４１が、多段連結されて、長さを調節する伸縮式調節棒４０と、前記伸縮式調節棒４０の上端に、防虫網が設置されるようにした締結鉤５０とを含み、前記伸縮式調節棒４０は、防虫網の使用時、長さを伸ばして上板フレーム１０の上部に突き出されることができるようにし、防虫網の不使用時、伸縮式調節棒４０の長さを縮めて設置孔３０の内側に入れ込んで収納することができるようにした構造になっていることを特徴とする。
【００２１】
前記上板フレーム１０及び支持柱２０は、ベッドフレームを構成するもので、一定の厚さを形成しなければならないので、木製または合成樹脂製から構成されることが好ましい。
【００２２】
前記設置孔３０は、上板フレーム１０と支持柱２０とを貫通した形態になっている。前記設置孔３０の深さは、伸縮式調節棒４０の設置される空間を充分に確保しなければならないので、支持柱２０の設置された位置に、上板フレーム１０と支持柱２０とを貫通した形態になり、支持柱２０の高さも、余裕のある高さとなることが好ましい。 そして設置孔３０の直径は伸縮式調節棒４０の直径より少し大きくして、伸縮式調節棒４０が容易に設置されるようにする。
【００２３】
前記伸縮式調節棒４０は、設置孔３０に沿って設置され、一つの軸状で互いに異なる直径の複数のパイプ４１が、多段連結されて、長さを調節するようにする。この場合、伸縮式調節棒４０の長さは、約３倍から４倍ぐらいに伸ばすことができるように、３段または４段で構成されることが好ましい。
【００２４】
前記締結鉤５０は、すべての伸縮式調節棒４０の上端に、それぞれ形成されて、鉤に引っかけて防虫網を設置することができるようにしたものである。もちろん、前記締結鉤５０の形態は、図に示された形態に加えて、防虫網を設置することができるようにした他の形態でも適用が可能である。
【００２５】
このように形成された本考案の作業過程をさらに説明すると、普段、ベッドに防虫網を設置しない時には、図３に示すように、伸縮式調節棒４０の長さを縮めて、伸縮式調節棒４０が、設置孔３０の内側に、完全に収納された形態になることができるようにする。このように伸縮式調節棒４０が、上板フレーム１０の上部に露出しないようにすることによって、伸縮式調節棒４０の解体及び保管が容易で邪魔にならず、生活中に破損されたりするなどの問題点を解消することができる。
【００２６】
防虫網使用する時には、図４に示すように、伸縮式調節棒４０の長さを伸ばして、上板フレーム１０の上部に防虫網が設置されることができるようにする。この場合、防虫網の設置方法は、多様な方法で設置されることができ、一例として、図面のように、伸縮式調節棒４０の締結鉤５０と、上板フレーム１０の側面に用意されたに鉤とに、それぞれかけて設置されることができる。その以外にも、上板フレーム１０ではない床に、別途に固定することもできる。
【００２７】
同時に、前記伸縮式調節棒４０の長さは、使用者が手動で調節することができるが、モーターの動力で長さを調節することができる電動式にして、簡単なリモートコントローラー動作のみで、伸縮式調節棒４０を制御することもできる。
【００２８】
図５、図６は、本考案の他の実施例を示すもので、前記伸縮式調節棒４０の上部に、連結支持台６０を設置することができる。すなわち、連結支持台６０によって、伸縮式調節棒４０どうしが互いに連結されるようにし、伸縮式調節棒４０の上部をより堅固的に支持することができる。前記連結支持台６０は、図面に示すように、ねじ結合によって固定することができるし、その以外にも、ねじ結合をしないで、挟んで締結することもできる。
【００２９】
そして、図面に示すように、前記連結支持台６０が設置される形態において、上板フレーム１０に、保管溝７０が一定の深さでさらに形成される場合、防虫網の不使用時、連結支持台６０が、伸縮式調節棒４０に結合されたままの状態で、保管溝７０の内部に収納することができる。従って、前記保管溝７０によって、連結支持台６０をいちいち結合したり分解したりする必要なく、結合された状態のまま、容易に保管することができる。
【００３０】
本考案は、本考案の技術思想を逸脱しない範囲内では、いくらでも多様に変形して実施することができるのはもちろんであり、前記のような具体的な例に限定されるものではない。
【符号の説明】
【００３１】
１０  上板フレーム                ２０  支持柱
３０  設置孔                      ４０  伸縮式調節棒
４１  パイプ                      ５０  締結鉤
６０  連結支持台                  ７０  保管溝
【図１】
0003210778.tif 000003
【図２】
0003210778.tif 000004
【図３】
0003210778.tif 000005
【図４】
0003210778.tif 000006
【図５】
0003210778.tif 000007
【図６】
0003210778.tif 000008